(57)【要約】【課題】家庭や小規模の介護施設において要介助者を迅速に乗り移らせることのできるようにした小形で安価な簡易リフターを提供する。【解決手段】簡易リフターを椅子（１０）及び架台車（２０）から構成する。架台車はベース部（２１）と支柱（２３）とから構成する。支柱には倒れ阻止手段及びずれ阻止手段（２４）を設ける。要介助者を椅子に着座させかつ仰向けとなった状態にし、椅子の背凭れ部の上端部位を相対的に上昇又は下降させ、椅子と倒れ阻止手段及びずれ阻止手段を相互に連携させ、椅子及び要介助者の荷重の一部を支柱に受け持たせた後、介助者がベッドから椅子を持ち上げた状態で架台車をベッドから離し、椅子を降ろすことにより椅子の前脚部を架台車に保持する。【選択図】  図１
2004305419.tif 000002
【特許請求の範囲】
【請求項１】
ベッド上で仰臥位の姿勢にある要介助者を乗り移らせ、ベッド上の元の仰臥位の姿勢に戻す作業に適した簡易リフターであって、
椅子及び架台車から構成され、
上記椅子は少なくとも前脚部、座部及び背凭れ部を含み、上記架台車は少なくとも前後方向及び左右方向に移動可能に設けられたベース部と該ベース部に立設された支柱とから構成され、上記支柱には上記椅子を上記架台車に保持する際に上記椅子の背凭れ部が後方に倒れ込むのを阻止する倒れ阻止手段が設けられるとともに、上記椅子を上記架台車に保持する際に上記椅子が斜め下方にずれるのを阻止するずれ阻止手段が設けられており、
要介助者を上記椅子に着座させかつ仰向けとなった状態にし、上記椅子の背凭れ部の上端部位を相対的に上昇又は下降させることによって上記椅子と上記倒れ阻止手段及びずれ阻止手段とを相互に連携させ、上記倒れ阻止手段によって上記椅子の背凭れ部の後方への倒れ込みを阻止するとともに上記ずれ阻止手段によって上記椅子が斜め下方にずれるのを阻止しながら、介助者が上記ベッドから上記椅子を持ち上げた状態で上記架台車を上記椅子とともに上記ベッドから離し、上記椅子を降ろすことにより上記椅子の前脚部を上記架台車に当接又は係止させて保持するようにしたことを特徴とする簡易リフター。
【請求項２】
上記倒れ阻止手段及びずれ阻止手段が上記支柱に設けられたフックであり、上記椅子の背もたれ部には上記フックを係止するフック受けが設けられている請求項１記載の簡易リフター。
【請求項３】
上記椅子を上記架台車に保持した時に要介助者に脚を折り曲げかつ上半身を斜め後方に傾斜させた長座位の姿勢をとらせ得るようにした請求項１又は２記載の簡易リフター。
【請求項４】
上記架台車の上記ベース部には左右の支柱が立設され、上記椅子の背凭れ部の左側及び右側には上記フック受けが設けられ、上記左右の支柱には上記フックが各々設けられている請求項２記載の簡易リフター。
【請求項５】
上記椅子は、座部の両側に肘当て部が着脱可能に設けられている請求項１ないし４のいずれかに記載の簡易リフター。
【請求項６】
上記椅子は、上記座部と上記背凭れ部とが相互に要介助者を座った姿勢に保つような略く字状をなすとともに、上記座部が着座した要介助者の膝を越えない前後長さを有し、これにより上記椅子は要介助者に側臥位の状態において着座した姿勢を取らせることができるとともに、要介助者とともに仰向けに回転させることができるようになっている請求項１ないし５のいずれかに記載の簡易リフター。
【発明の詳細な説明】
【０００１】
【発明の属する技術分野】
本発明は簡易リフターに関し、特に筋力の弱った老人や病人等の要介助者をベッドから簡単に簡易リフターに、又簡易リフターからベッドや自動車の車室内に安全に移すことのできるようにした構造に関する。
【０００２】
【従来の技術】
近年、自力歩行の難しい老人や病人が増加する傾向にあり、かかる老人や病人の介助や介護が大きな社会問題となっている。
【０００３】
自力歩行の難しい老人や病人（以下、介護を必要とする者を含めて「要介助者」という）をベッドから移動させベッドに戻す場合、介助者が介護マニュアル等に従って要介助者を抱え、ベッドの上から車椅子やストレッチャーに移し、あるいは車椅子やストレッチャーからベッドに戻すことが行われている。
【０００４】
しかし、介助者が要介助者を抱え、ベッドから車椅子に、又車椅子からベッドに移しかえるのは非常に厄介であり、要介助者が肉体的及び精神的な苦痛を受けるばかりでなく、特に要介助者の体重が重い場合には介助者も腰を痛める等、その肉体的及び精神的な苦痛も大きい。
【０００５】
そこで、車椅子に変形できるようにしたベッド（例えば、特許公報１、特許公報２、等参照）、椅子部分を着座サポートとシートとに分割し、更にシートを左右に分割してベッド上に座った老人や病人の臀部下方にシートを差し込んた後、着座サポートに固定して老人や病人を移しかえることのできるようにした車椅子（例えば、特許公報３、参照）、等が提案されている。
【０００６】
しかし、ベッドを車椅子に変形する方式では構造が非常に複雑となり、コスト高となって家庭での介護には採用し難い。
【０００７】
また、シートを左右から差し込む方式ではシートを臀部下側に差し込む時に臀部がシートに挟まれるおそれがあり、これを回避するためには介助者が老人や病人の身体を抱えて持ち上げる必要があり、老人や病人ばかりでなく、介護者も肉体的及び精神的な負担が大きい。
【０００８】
これに対し、椅子部分をサポートと座部とに分割し、座部をサポートに対して吊上げ可能に構成し、ベッド側部に座部を載せ、座部上に要介助者を端座位の姿勢で座らせた後、座部をサポートに吊上げてベッド面から浮かし、引き出すようにした移動リフターが提案されている（特許文献４、参照）。
【０００９】
【特許文献１】特開昭５９−１６０４５３号公報
【特許文献２】特開平０４−３３６５４号公報
【特許文献３】特開２０００−１６６９７４号公報
【特許文献４】特許第２７９６６２０号公報
【００１０】
しかし、要介助者をベッドの端部や自動車の座席上、あるいは移動リフターの座部に端座位の姿勢に座らせると、要介助者によっては前方又は側方に倒れ込むおそれがあるので、かかる要介助者の場合には介助者が片手で要介助者を支えながら、他方の手で移動リフターを取り扱う必要があり、非常に危険である。
【００１１】
また、上記移動リフターでは要介助者を車椅子から自動車の座席に移す場合、座席に対して要介助者が横向きの姿勢となってしまうので、介助者が両手で抱えて前向きに座り直させる必要があり、この点で改良の余地があった。
【００１２】
【発明が解決しようとする課題】
これに対し、本件発明者は、椅子、架台車及び吊上げ機構とから構成し、椅子の受け部材は取外し可能となし、受け部材を例えばベッド上で平坦な状態に展開して要介助者の大腿部から上方の身体を仰臥位の姿勢で受けた後、受け部材を椅子に取付けて要介助者を座った姿勢に保つ立体的形状に折曲げ、吊上げ機構によって椅子を架台車側方の吊下げ支柱に吊上げ、要介助者を移動させる一方、逆の操作を行って要介助者をベッドに仰臥位の姿勢で戻せるように構成し、もって要介助者ばかりでなく、介助者にも肉体的及び精神的な負担をかけることなく、要介助者をベッドと移動リフターとの間で、又自動車の座席と移動リフターとの間で簡単かつ安全に移すことのできるようにした移動リフターを開発し、出願するに至った（特願２００２−２３０７３２号）。
【００１３】
さらに、本件発明者は、仰臥位の姿勢にある要介助者を乗り移らせ、脚を折り曲げかつ上半身を斜め後方に傾斜させた長座位の姿勢をとらせるとともに元の仰臥位の姿勢に戻す作業に適した移動リフターであって、椅子、架台車及び吊上げ機構とから構成され、上記椅子は座部、背凭れ部及び着脱可能な左右の肘当て部を含み、上記座部と上記背凭れ部とは相互に要介助者を座った姿勢に保つような略く字状をなすとともに、上記座部は着座した要介助者の膝を越えない前後長さを有し、これにより上記椅子は要介助者に側臥位の状態においてその椅子に着座した姿勢を取らせることができるとともに、要介助者とともに仰向けに回転させることができるようになっている一方、上記架台車は少なくとも前後方向及び左右方向に移動可能に設けられ、側部に吊下げ支柱が立設され、上記吊上げ機構は上記椅子に座った要介助者が上記長座位の姿勢をとり得るように上記椅子をその側方に位置する上記架台車の吊下げ支柱から吊り下げるようになした移動リフターを開発し、出願している（特願２００３−５０５５８号）。
【００１４】
しかし、上述の２つの移動リフターでは受け部材又は椅子を吊り上げる吊上げ機構を設ける必要があり、構造が大形化するとともにコスト高を招来し、家庭や小規模の介護施設における介助や介護には使用しにくいという難点がある。
【００１５】
この発明は、かかる点に鑑み、家庭や小規模の介護施設において要介助者を迅速に乗り移らせることのできるようにした小形で安価な簡易リフターを提供することを課題とする。
【００１６】
【課題を解決するための手段】
そこで、本発明に係る簡易リフターは、ベッド上で仰臥位の姿勢にある要介助者を乗り移らせ、ベッド上の元の仰臥位の姿勢に戻す作業に適した簡易リフターであって、椅子及び架台車から構成され、上記椅子は少なくとも前脚部、座部及び背凭れ部を含み、上記架台車は少なくとも前後方向及び左右方向に移動可能に設けられたベース部と該ベース部に立設された支柱とから構成され、上記支柱には上記椅子を上記架台車に保持する際に上記椅子の背凭れ部が後方に倒れ込むのを阻止する倒れ阻止手段が設けられるとともに、上記椅子を上記架台車に保持する際に上記椅子が斜め下方にずれるのを阻止するずれ阻止手段が設けられており、要介助者を上記椅子に着座させかつ仰向けとなった状態にし、上記椅子の背凭れ部の上端部位を相対的に上昇又は下降させることによって上記椅子と上記倒れ阻止手段及びずれ阻止手段とを相互に連携させ、上記倒れ阻止手段によって上記椅子の背凭れ部の後方への倒れ込みを阻止するとともに上記ずれ阻止手段によって上記椅子が斜め下方にずれるのを阻止しながら、介助者が上記ベッドから上記椅子を持ち上げた状態で上記架台車を上記椅子とともに上記ベッドから離し、上記椅子を降ろすことにより上記椅子の前脚部を上記架台車に当接又は係止させて保持するようにしたことを特徴とする。
【００１７】
本発明の特徴の１つは椅子の背凭れ部の上端部位を相対的に上昇又は下降させて架台車の支柱の倒れ阻止手段及びずれ阻止手段と椅子とを相互に連携させることにより、椅子及び要介助者の荷重の一部、好ましくは大部分を支柱に受け持たせた後、介助者が椅子を持ち上げて架台車を椅子とともにベッドから離し、椅子を降ろして椅子の前脚部を架台車に保持させるようにした点にある。
【００１８】
これにより、ベッドの昇降動作又は介助者による椅子の背凭れ部の持ち上げ又は押し下げ動作を利用して要介助者をベッドから簡易リフターに乗り移らせ、、又簡易リフターからベッドに戻すことができるので、本件発明者の開発に係る前述の簡易リフターのように吊上げ機構を設ける必要がなく、小形の簡易リフターを安価に製作でき、家庭や小規模の介護施設における介助や介護には最適なリフターが得られる。
【００１９】
倒れ阻止手段は椅子を架台車に保持する際に椅子の背凭れ部が後方へ倒れ込むのを阻止できればどのようなものでもよく、例えば架台車の２本の支柱間にロープ又はバーを掛け渡し、椅子の背凭れ部を受ける構造としてもよい。また、椅子の滑り阻止手段は椅子を架台車に保持する際に椅子が斜め下方にずれ落ちるのを阻止できればどのようなものでもよく、例えば支柱から２本のロープ又はチェーンを垂下させ、２本のロープ又はチェーンの先端リングを椅子の座部のフレームに引っ掛けて椅子が斜め下方にずれるのを阻止するようにしてもよい。
【００２０】
また、上記では倒れ阻止手段及びずれ阻止手段を別々に設けるようにしたが、両者の機能を併有する１つの部材として設けることもできる。例えば、倒れ阻止手段及びずれ阻止手段を支柱に設けられたフックとし、椅子の背もたれ部にはフックを係止するフック受けを設けるようにしてもよい。
【００２１】
一般に、長座位の姿勢には脚を前方に投げ出して上半身を起こした姿勢と、脚を折り曲げかつ上半身を斜め後方に傾斜させた姿勢とがあるが、要介助者を移動させる場合には後者の方が姿勢が安定し安全である。
【００２２】
そこで、椅子を架台車に保持した時に要介助者に脚を折り曲げかつ上半身を斜め後方に傾斜させた長座位の姿勢をとらせ得るようにするのが好ましい。
【００２３】
架台車には椅子の前脚部を当接又は係止させて保持する部位を設けるが、この保持する部位は例えば段部又は凹部を形成してもよく、又前脚部をロックするロック機構を設けるようにしてもよい。
【００２４】
架台車の支柱は１本でもよいが、椅子を安定に保持する上で、支柱を左右に設けるのがよい。そこで、架台車のベース部には左右の支柱を立設し、椅子の背凭れ部の左側及び右側にはフック受けを設け、左右の支柱にはフックを各々設けるのが好ましい。
【００２５】
椅子の肘当て部は必ずしも設ける必要はないが、上半身の安定しない要介助者の場合には椅子から転落するおそれがある。そこで、椅子の座部の両側には肘当て部を設けるのが好ましい。また、この肘当て部は架台車の２本の支柱に設けるようにしてもよい。他方、椅子に着座させた要介助者に痙攣等の緊急事態が発生した場合、介助者等が迅速に要介助者を椅子から運びだせるようにするのが望ましい。そこで、肘当て部を簡単に取り外せ又は邪魔にならないように回転できるようにすると、要介助者の緊急事態時に迅速に対応できる。
【００２６】
椅子は少なくとも前脚部、座部及び背凭れ部を含んでいればその形態は特に限定されないが、座部と背凭れ部とを略く字状となし、座部をこれに着座した要介助者の膝を越えない前後長さとすると、椅子を横に倒し、例えばベッド上の要介助者を側臥位の姿勢にして脚を曲げさせることによって要介助者に側臥位の状態で椅子に着座した姿勢を取らせることができ、その状態から要介助者と椅子とを簡単にかつ安全に仰向けに起こすことができる。
【００２７】
そこで、椅子の座部と背凭れ部とを相互に要介助者を座った姿勢に保つような略く字状をなすとともに、座部を着座した要介助者の膝を越えない前後長さを有するように構成し、これにより椅子が要介助者に側臥位の状態において着座した姿勢を取らせることができるとともに、要介助者とともに仰向けに回転させることができるようになっているのが好ましい。
【００２８】
これにより、要介助者を椅子に迅速かつ安全に乗り移らせることができ、ベッドを上昇又は下降させて椅子を架台車の支柱に簡単かつ確実に係止させることができる。
【００２９】
また、椅子の座部と背凭れ部とを略く字状にする場合、折り曲げ部位を滑らかな円弧状にすると、椅子をベッド上に仰向け姿勢で置いたときに椅子の前脚部と背凭れ部の先端部位（状態部位）とが折り曲げ部位を支点として天秤状態になるので、介助者が椅子を架台車に保持させる際に椅子を小さな力で持ち上げ又は押し下げることができる。
【００３０】
椅子は少なくとも前脚部、座部及び背凭れ部を含んでいればどのようなものでもよいが、軽量化の観点からは、椅子を保持フレームとこれに取付けられた受け部材とから構成し、保持フレームには前脚を固定し又は着脱可能に取付けて構成するのが好ましい。
【００３１】
架台車はベース部と支柱とを含んでいれば、どのような構造や形状でもよい。例えば、要介助者を介助する上で、ベッド上の要介助者を円滑に椅子に移せるのが望ましい。そこで、架台車のベース部をベッドと床面との間の隙間に差込み可能な形状又は寸法に製作されているのが好ましい。
【００３２】
椅子に座った要介助者は足が空中に浮いていると不安感を感じやすいばかりでなく、膝の裏側や大腿部の裏側が圧迫されて足に血の塊ができ、何らかの原因で血の塊が分離して流れだし、脳、心臓あるいは肺の毛細血管に血栓として詰まると、脳梗塞、心筋梗塞、心臓麻痺、肺血栓等を引き起こすおそれがある。そこで、保持フレームには座部に着座した要介助者の足を載せて受け部材と要介助者の膝裏との間に隙間を作るための足置部を設けるのが好ましい。
【００３３】
椅子の座部は着座した要介助者の膝を越えない前後長さにするのが大切であるが、要介助者の体格によっては座部の前後長さが要介助者の膝を越えることもある。そこで、保持フレームには座部の前後長さを調整するための補助座部をスライド可能に又は着脱可能に設けると、要介助者の体格の相違に迅速に対応できる。この補助座部の形状や構造は特に限定されず、例えばロープにクッション材を巻き付けて形成することができる。
【００３４】
【発明の実施の形態】
以下、本発明を具体例に基づいて詳細に説明する。図１ないし図７は本発明に係る簡易リフターの好ましい実施形態を示す。本例の簡易リフターは基本的には椅子１０及び架台車２０から構成されている。
【００３５】
椅子１０は機能的には座部１１、背凭れ部１２、左右の肘当て部１３及び前脚部１４からなり、座部１１及び背凭れ部１２は保持フレーム１５に織布等のシート状の受け部材１６の外周縁を抱きつかせて縫合することなどによって構成され、又肘掛け部１３は板材の表面にクッション材、例えばクッションを有する布で覆って形成されている。
【００３６】
また、保持フレーム１５は金属製パイプを用いて正面ほぼ逆Ｕ字状で側面略く字状に製作され、又前脚部１４は金属製パイプを用いて正面ほぼＵ字状に製作され、前脚１４の上端部は保持フレーム１５の両下端部に着脱可能に連結されるようになっている。なお、前脚部１４は保持フレーム１５に溶接等によって固定してもよいが、要介助者の椅子１０への乗り移りやすさを考慮すると、着脱可能に取付け、あるいは保持フレーム１５に対して折り曲げ可能に取付け、前脚として起立させた時にはその状態にロックできる構造とすることもできる。
【００３７】
また、前脚部１４には途中に布製（又はロープ製）のふくらはぎの受け部１４０が着脱可能に（又は固定的に）掛けわたされるとともに、下端部位に左右の支持パイプ１４１が固定され、該左右の支持パイプ１４１間には織布（ロープでもよく、又は比較的硬質のダムシートでもよい）の足置き部１４２が掛けわたされて要介助者が足を載せることができるようになっている。
【００３８】
なお、ふくらはぎの受け部１４０及び足置き部１４２は面ファスナー（例えば、マジックテープ（登録商標））を用いて織布を相互に貼着することによって掛けわたした状態に保持するようにすれば、要介助者の体格に応じてふくらはぎの受け部１４０や足置き部１４２の張り具合を調整することができる。
【００３９】
保持フレーム１５の両側の下端部位及び立ち上がり部分の中間部位には受け金具１７、１８の円筒状部分が回転自在に嵌められてボルト、ねじ、突起その他の適切な方法によって抜け止めされ、受け金具１７、１８には挿通穴１７０（受け金具１８の挿通穴は図示せず）が形成されている。
【００４０】
他方、肘当て部１３には円筒状の連結金具１３０（他方の連結金具は詳細には図示せず）が取付けられ、この連結金具１３０を受け金具１７、１８の挿通穴１７０に挿通し、連結金具１３０に抜け止めピン１３１を差し込むことによって連結金具１３０が受け金具１７、１８に連結され、これによって肘当て部１３が保持フレーム１５に取付けられるようになっている。
【００４１】
なお、肘当て部１３は椅子１０ではなく、後述の架台車２０の支柱２３に支柱２３の軸廻りに回転自在に設けるようにしてもよい。
【００４２】
さらに、保持フレーム１５の両側の立ち上がり部分の受け金具１８の上方にはフック受け１９の円筒状部分が嵌められてボルト、ねじ、突起その他の適切な方法によって抜け止めされ、フック受け１９には挿通穴１９０が形成されている。
【００４３】
また、架台車２０は平面略四角形状をなすベース部２１を有し、ベース部２１の四隅底部にはキャスター２２の取付けブラケットが固定され、キャスター２２は垂直軸の回りに旋回可能にかつ水平軸の回りに回転自在に構成されて架台車２０は前後左右に走行自在となっている。また、ベース部２１の高さは例えばベッドと床面との間の隙間に差し込み得る高さに設定されている。
【００４４】
また、ベース部２１の両側辺部分には後部に支柱２３が立設され、支柱２３の上端部位には取付けブラケットが固定され、該取付けブラケットにはフック（倒れ阻止手段兼ずれ阻止手段）２４が取付けられ、該フック２４は椅子１０のフック受け１９の挿通穴１９０に係止され得るようになっている。
【００４５】
また、架台車２０のベース部２１の前側部分には前脚部１４の下端部分を受ける凹状の受け部２５が設けられ、該受け部２５は例えば金属板をＬ字状に折り曲げ、溶接等によってベース部２１に固定され、又受け部２５のほぼ中央には挿通穴２５０が形成されている。なお、受け部２５は凹状ではなく、椅子１０を架台車２０から外す際に操作を考慮すると段部としてもよい。
【００４６】
他方、椅子１０の前脚部１４の下端辺部分にはロックプレート２６が溶接等によって固定され、該ロックプレート２６のほぼ中央には挿通穴２６０が形成され、該挿通穴２６０及び受け部２５の挿通穴２５０にロックピン２７を挿通させることによって椅子１０は架台車２０に保持されるようになっている。
【００４７】
例えば、寝たきりの老人等の要介助者を本例の簡易リフターに乗せる場合、ベッド上に脚を伸ばして仰臥位の姿勢（上向きの姿勢）で横たわった要介助者を介助者が通常の方法によって側臥位の姿勢（横向きの姿勢）にし、要介助者の脚を適切な角度に曲げさせた後、要介助者が寝ていたベッド上に椅子１０を横向きにして要介助者の背後に置くと、側臥位の状態において要介助者に椅子１０に着座した姿勢を取らせることができる（図４参照）。
【００４８】
その後、介助者が片手で要介助者を支えながら、保持フレーム１５の下方の立ち上がり部分を中心として椅子１０を要介助者とともに仰向けに回転させると、図５に示される状態となる。この時、座部１１の前後長さが要介助者の膝を越える長さになっていると、要介助者の膝の裏側が圧迫されるので、上述の側臥位の時に椅子１０の座部１１の前後長さが要介助者の膝の裏側を圧迫しないような寸法のものを用いるのがよい。
【００４９】
こうして要介助者を椅子１０の上で脚を曲げた仰臥位の姿勢にできると、椅子１０に前脚部１４及び左右の肘当て部１３を取付ける。上述のように前脚部１４は椅子１０から起立させロックする方式とすることもできる。椅子１０の足置き部１４２は後の着座した時に要介助者の足が足置き部１４２上に丁度乗るように足置き部１４２の弛みを調整しておくのがよい。なお、この前脚１４は予め椅子１０に取付けておいてもよい。また、足置き部１４２の張り具合の調整は適当な時、例えば椅子１０を架台車２０に保持した時に行うことができる。
【００５０】
要介助者を椅子１１の上で脚を曲げた仰臥位の姿勢にできると、肘当て部１３の円筒状の連結金具１３０を椅子１０の保持フレーム１５の受け金具１７、１８の挿通穴１７０に挿通し、連結金具１３０に抜け止めピン１３１を差し込んで椅子１０に左右の肘当て部１３を取付ける。
【００５１】
準備が済むと、椅子１０の背凭れ部１２がベッドの側方に突き出るように椅子１０に乗った要介助者を移動させ、架台車２０をベッドの側方に移動させる（図６、参照）。
【００５２】
次に、ベッドの昇降機構を作動させ、椅子１０のフック受け１９が架台車２０の支柱２３からぶら下がったフック２４の位置までベッドを上昇させると（図６の矢印Ａ参照）、架台車２０のベース部２１をベッドと床面との間に差し込むことができる。なお、ベッド面が高い場合にはベッドを下降させる。また、ベッドに昇降機構が設けられていない場合には介助者が手で椅子１０の背凭れ部１２の上端部位を持ち上げあるいは押し下げるようにしてもよい。この場合、前述のように椅子１０が座部１１と背凭れ部１２との間に折り曲げ部を支点に天秤状態となっているので、軽く持ち上げ押し下げることができる。
【００５３】
そこで、架台車２０のフック２４を椅子１０のフック受け１９の挿通穴１９０に係止させると（図７参照）、フック２４が椅子１０の背凭れ部１２が後方に倒れるのを阻止するとともに、椅子１０が斜め下方にずれるのを阻止するので、ベッドを下降させると（図７の矢印Ｂ参照）、椅子１０がフック受け１９の廻りに下方に回動し（図７の矢印Ｃ参照）、椅子１０は前脚部１４側が下がって傾斜した状態となり、要介助者及び椅子１０の荷重の一部（少なくとも半分、好ましくは大部分。フック受け１９の位置と要介助者及び椅子１０の重心の位置との関係で任意に設定できる。）は架台車２０の支柱２３が受け持つことになる。
【００５４】
次に、介助者が椅子１０の前脚部１４を手で持って椅子１０をベッドから持ち上げると、架台車２０の支柱２３が要介助者及び椅子１０の荷重の一部を受け持っているので、比較的軽く椅子１０をベッドから浮かせることができる。
【００５５】
椅子１０がベッドから浮くと、架台車２０を椅子１０とともにベッドから離す方向に移動させた後、介助者が椅子１０の前脚部１４を架台車１０に向けて降ろし、前脚部１４の下辺部分を架台車２０の受け部２５内に嵌め、ロックピン２７を受け部２５の挿通穴２５０及びロックプレート２６の挿通穴２６０を落し込むと、椅子１０を架台車２０に保持することができる。
【００５６】
このとき、椅子１０は架台車２０に保持され、要介助者は脚を折り曲げかつ上半身を斜め後方に傾斜させた長座位の姿勢になるので、後は介助者が椅子１０の保持フレーム１５の要介助者の頭部後方のハンドル部分１２０を手でもって架台車２０を前方又は後方に移動させればよい。なお、フック受け１９の位置によって要介助者を通常の着座姿勢に座らせることもできる。
【００５７】
簡易リフターに乗せた要介助者をベッドに戻す場合には上記と逆の作業を行えば、要介助者を仰臥位の姿勢に安全に戻すことができる。また、要介助者をベットから自動車の座席に移らせる場合にも上記と同様の操作と逆の操作を行うことによって簡単かつ安全に乗り移らせることができる。
【図面の簡単な説明】
【図１】本発明に係る簡易リフターの好ましい実施形態を示す概略斜視図である。
【図２】上記実施形態における椅子の組立て方法を模式的に示す概略斜視図である。
【図３】上記実施形態における椅子の前脚部と架台車の受け部との関係を示す図である。
【図４】上記実施形態における椅子の使用方法を模式的に示す概略斜視図である。
【図５】上記実施形態における椅子の使用方法を模式的に示す概略斜視図である。
【図６】上記実施形態における椅子の架台車への取付け方法を模式的に示す図である。
【図７】上記実施形態における椅子の架台車への取付け方法を模式的に示す図である。
【符号の説明】
１０      椅子                    １１      座部
１２      背凭れ部                １３      肘当て部
１４      前脚部                  １９      フック受け
２０      架台車                  ２１      ベース部
２２      支柱
２４      フック（倒れ阻止手段兼ずれ阻止手段）
【図１】
2004305419.tif 000003
【図２】
2004305419.tif 000004
【図３】
2004305419.tif 000005
【図４】
2004305419.tif 000006
【図５】
2004305419.tif 000007
【図６】
2004305419.tif 000008
【図７】
2004305419.tif 000009